(57)【要約】【課題】  依頼者の個人情報が記載されている依頼者控え部（第２の情報記載部分）を簡単に剥がせて、迅速な廃棄処理を可能とする配送用ラベルを提供すること。【解決手段】  表面に第１の情報記載部分と第２の情報記載部分とが切り離し可能に印刷されて設けられ、裏面に粘着剤層が設けられたラベル本体と、このラベル本体の裏面に前記粘着剤層を介して仮着された剥離紙と、を具えた配送用ラベルである。粘着剤層２ｂ，２ｂ’は、第１の情報記載部分５と対応する部分が全面接着可能になっており、第２の情報記載部分６と対応する部分が全面接着でなく糊殺し部分とすることにより部分接着可能になっている。【選択図】      図２
2010188592.tif 000002
【特許請求の範囲】
【請求項１】
表面に第１の情報記載部分と第２の情報記載部分とが切り離し可能に印刷されて設けられ、裏面に粘着剤層が設けられたラベル本体と、このラベル本体の裏面に前記粘着剤層を介して仮着された剥離紙と、を具えた配送用ラベルにおいて、
前記粘着剤層は、前記第１の情報記載部分と対応する部分が全面接着可能になっており、前記第２の情報記載部分と対応する部分が全面接着でなく糊殺し部分とすることにより部分接着可能になっていることを特徴とする配送用ラベル。
【請求項２】
第１の情報記載部分及び第２の情報記載部分は、届け先、依頼主、品名等、個人情報を記載する欄を有する請求項１に記載の配送用ラベル。
【請求項３】
糊殺し部分は、凸版又は凹版印刷によりメッシュ状に形成されている請求項１又は２に記載の配送用ラベル。
【発明の詳細な説明】
【技術分野】
【０００１】
この発明は、宅配便用ラベルなど配送用ラベルに関するものである。
【背景技術】
【０００２】
従来、宅配便用ラベルは、表面に届け先等が記載された部分（配達票）と届け先等が記載された部分（貼付票）とが切り離し可能に印刷されて設けられ、裏面に粘着剤層が形成されたラベル本体と、このラベル本体の裏面に前記粘着剤層を介して仮着された剥離紙と、を具えたものからなっていた。
【０００３】
その一例として、特許文献１に示すような配送伝票用帳票が提案されている。この帳票は、表面に前記のような配達票や貼付票のほかに作業票をも有し、バーコードなどの機械読み取りコードを表示させた場合でも、この機械読み取りコードを表示させた用紙が撓むことなく切り取れるようにし、機械読み取りコードの機械読み取りの際に、用紙の撓みによる悪影響が出ないようにしている。
【０００４】
ところで、前記従来の配送伝票用帳票は、公報添付の図２に示されているようにラベル基材３の裏面に粘着剤層５が全面にわたって設けられ、剥離紙４を剥がした後にこの粘着剤層５を介して配送品を包装したダンボール箱等の表面に全面接着するものであるから、一旦接着させると、配達票２ａは、スリット６によって貼付票２ｂと切り離され、剥離層８から剥がすことが可能であるが、貼付票２ｂの場合は、配達票のように剥離層を有せず擬似接着層９によってラベル基材３に一体に接着しているため、ダンボール箱等の表面から剥がすのが非常に困難であった。そのため、配送品の引渡しを受けた受取人が貼付票２ｂに記載の個人情報を秘匿したいときは、受け取り後に貼付票２ｂを手で引きちぎって捨てる等、しかるべき方法で破断して廃棄処理しなければならなかった。しかし、最近はラベル基材３をはじめ層構成の紙が粘着剤で堅牢となっているため、破断しにくく、手間のかかるものとなっていた。そのため、仮にうまく廃棄処理ができずそのまま残るようなことにでもなれば、秘匿したい個人情報が漏洩して思わぬ災難に遭遇することもあり得ることになる。
【発明の概要】
【発明が解決しようとする課題】
【０００５】
そこでこの発明は、前記のような従来の問題点に鑑み創案されたもので、個人情報が記載されて貼り付けられている貼付票を簡単に剥がせて、迅速な廃棄処理を可能とするとともに、個人情報の漏洩がなく安全性の高い配送用ラベルを提供することを目的とする。
【課題を解決するための手段】
【０００６】
前記課題を解決するために、請求項１に記載の発明は、表面に第１の情報記載部分と第２の情報記載部分とが切り離し可能に印刷されて設けられ、裏面に粘着剤層が設けられたラベル本体と、このラベル本体の裏面に前記粘着剤層を介して仮着された剥離紙と、を具えた配送用ラベルにおいて、前記粘着剤層は、前記第１の情報記載部分と対応する部分が全面接着可能になっており、前記第２の情報記載部分と対応する部分が全面接着でなく糊殺し部分とすることにより部分接着可能になっていることを特徴とする。
【０００７】
請求項２に記載の発明は、請求項１において、第１の情報記載部分及び第２の情報記載部分は、届け先、依頼主、品名等、個人情報を記載する欄を有することを特徴とする。請求項３に記載の発明は、請求項１又は２において、糊殺し部分は、凸版又は凹版印刷によりメッシュ状に形成されていることを特徴とする。
【発明の効果】
【０００８】
この発明は、前記のようであって、請求項１又は２に記載の発明によれば、粘着剤層は、第１の情報記載部分と対応する部分が全面接着可能になっており、第２の情報記載部分と対応する部分が全面接着でなく糊殺し部分とすることにより部分接着可能になっているので、第２の情報記載部分は従前の全面接着したものに比し、容易に剥がすことができてその迅速な廃棄処理を可能とする。したがって、第２の情報記載部分を個人情報記載部分とした場合でも、該部分の迅速な廃棄処理が可能なので、個人情報が漏洩するのを防止し得て安全性が高いものとなる。請求項３に記載の発明によれば、糊殺し部分は、凸版又は凹版印刷により形成するので、容易かつ大量に製作することができ、しかもメッシュ状に形成することにより同一の形状となすことができる。
【図面の簡単な説明】
【０００９】
【図１】この発明の一実施の形態を示す、宅配便用ラベルの概略平面図である。
【図２】図１の線Ａ−Ａに沿う拡大断面図である。
【図３】剥離紙を剥がしてラベル本体裏面の粘着剤層を表した概略底面図である。
【図４】図３のＢ部の拡大図である。
【図５】図４の線Ｃ−Ｃに沿う拡大断面図である。
【図６】使用状態を示す斜視図である。
【発明を実施するための形態】
【００１０】
以下、図面を参照しながら、この発明の一実施の形態に係る宅配便用ラベルについて説明する。
【００１１】
図１〜３において１は宅配便用ラベルを示し、このラベル１はラベル本体２と、剥離紙３と、を具えている。ラベル本体２は、裏面に粘着剤層２ｂ，２ｂ’が設けられた基紙（接着紙）２ａと、裏面に擬似糊層２ｄ，２ｄ’が設けられた印刷紙２ｃ，２ｃ’とが積層して構成されている。擬似糊層２ｄ，２ｄ’は基紙２ａと印刷紙２ｃ，２ｃ’を一体化するために設けられる。印刷紙２ｃの裏面の擬似糊層２ｄと基紙２ａとの間には剥離紙２ｅが設けられ、剥離紙２ｅと擬似糊層２ｄの間から印刷紙２ｃが剥離可能となっている。印刷紙２ｃ’の裏面の擬似糊層２ｄ’と基紙２ａとの間には前記のような剥離紙２ｅは設けられていない。印刷紙２ｃの表面には第１の情報記載部分５が印刷されて設けられている。また、印刷紙２ｃ’の表面には第２の情報記載部分６が印刷されて設けられている。
【００１２】
第１の情報記載部分５には届け先等の欄７が設けられ、該欄には届け先、依頼主、品名、記事を記載できるようになっている。そのほかに第１の情報記載部分５には図示のように届け予定日（指定日）、届け時間帯、受領印などの欄も設けられている。第２の情報記載部分６には届け先等の欄８が設けられ、該欄には届け先、依頼主、品名を記載できるようになっている。そのほかに第２の情報記載部分６には届け予定日（指定日）、届け時間帯、受領印などの欄も設けられている。そして、この実施の形態では第１の情報記載部分５が設けられた印刷紙２ｃが配達票、第２の情報記載部分６が設けられた印刷紙２ｃ’が貼付票となっている。
【００１３】
第１の情報記載部分５が設けられた印刷紙２ｃと第２の情報記載部分６が設けられた印刷紙２ｃ’の境目には切り目又はミシン目（以下、単に「切れ目等」という）１１が入れられており、該切れ目等１１により印刷紙２ｃと印刷紙２ｃ’が相互に切り離し可能となっている。
【００１４】
ラベル本体２の基紙２ａの裏面に設けられ、第１の情報記載部分５と対応する部分の粘着剤層２ｂは全面接着可能になっている。一方、第２の情報記載部分６と対応する部分の粘着剤層２ｂ’は全面接着でなく部分接着可能になっている。すなわち、図４，５にも示すように粘着剤層２ｂ’は、粘着剤が塗布された部分１３が多数、等間隔に配置され、その周囲が糊殺し部分１５に形成され、メッシュ状として構成される。前記粘着剤が塗布された部分１３は、印刷方式としては凸版又は凹版で形成される。この実施の形態では粘着剤が塗布された部分１３を平面視方形としたが、方形でなくともよく、例えば円形など形状は任意とすることが可能である。また、粘着剤層２ｂ’を、粘着剤が塗布された部分１３及び糊殺し部分１５を均一に配置して全面にわたり等しい接着力となるようにしたが、必要によっては部分部分に接着強度を異ならせることも可能である。
【００１５】
第２の情報記載部分６と対応する部分の粘着剤層２ｂ’において、糊殺し部分１５が占める面積は、粘着剤が塗布される面積の１０〜８０％の範囲であることが好ましい。１０％以下であれば、接着力が強くて第１の情報記載部分５と対応する部分の粘着剤層２ｂと遜色がなくなるし、８０％以上であれば接着力が低下し、第２の情報記載部分６が簡単に剥がれてしまう。したがって、前記範囲内の任意の値がよく、具体的な数値はその都度に設定される。
【００１６】
前記のように構成された宅配便用ラベルの使用例について以下に説明する。
使用に際しては、まずラベル１の第１の情報記載部分５と第２の情報記載部分６に設けた届け先等の欄７，８に必要な情報、届け先、依頼主、品名等を記入する。また、届け予定日とその時間帯についても依頼主の希望に応じて記入する。そして、配送品の大きさや重量に応じて定められた代金を依頼主から徴収する等の作業を経た後、剥離紙３を剥がしてラベル１を粘着剤層２ｂ，２ｂ’が下になるようにし、例えば図６に示すように配送品を包装したダンボール箱１８の表面に貼り付ける。
【００１７】
この状態でトラック等に積み込み届け先として記載されている配送先まで、予定の日時に到着するように配送する。そして、配送先まで配送された配送品を受取人に引き渡すとき、配送作業者はダンボール箱１８に貼られたラベル１のラベル本体２から第１の情報記載部分５が設けられた印刷紙２ｃ（配達票）を、その角部にある剥がし口（図１で矢印で示す）を指で摘んで切れ目等１１に沿って第２の情報記載部分６が設けられた印刷紙２ｃ’（貼付票）から切り離すとともに、剥離層２ｅ上を基紙２ａから剥離する。そして、切り離した配達票に受取人から受領印をもらうともに、配送作業者は配達票を回収する。
【００１８】
受取人への引渡し時にダンボール箱１８の表面には第１の情報記載部分５が切り離されて貼付票である第２の情報記載部分６が設けられた印刷紙２ｃ’のみが貼り付けられた状態になる。この状態では第２の情報記載部分６のある印刷紙２ｃ’が擬似糊層２ｄ’によって基紙２ａと一体化され、該基紙２ａから剥離することは容易でない。そこで、受取人側で貼付票に記載されている個人情報を秘匿したいときは、第２の情報記載部分６のある印刷紙２ｃ’をその角部を指で摘んで基紙２ａごとダンボール箱１８の表面から剥がす。第２の情報記載部分６のある部分と対応する部分の粘着剤層２ｂ’は糊殺し部分１５により部分的な接着となっていて、粘着剤層２ｂにより全面接着された第１の情報記載部分５より接着力は弱くなっているので、容易に剥がすことができる。剥がす際に粘着剤層２ｂにより全面接着された第１の情報記載部分５があることにより途中で剥がしにくくなる場合があるがその場合にはその部分は引きちぎってでも剥がせばよい。そして、剥がした第２の情報記載部分６は必要により手で破いたりして破断し廃棄処分する。
【００１９】
したがって、従前は第２の情報記載部分６のある部分と対応する貼付票の切り離しがなかなかできず、その廃棄処理に困っていたが、処理がきわめて迅速かつ容易に行え、個人情報が他人に知れてしまう恐れが無くなる。
【００２０】
なお、前記実施の形態の宅配便用ラベルは、あくまでも依頼主が依頼時に代金を事前に支払う決済方式で説明したが、そのほかにコレクト（着払い）決済方式のラベルとしてもよいことは勿論である。このようなコレクト決済方式のラベルの場合には、例えば依頼主からの情報を宅配業者又は宅配取次店のＯＣＲ等で読み取り、それをパソコンに入力して保存するとともに、インターネット等を利用して配送品の流通過程に応じたその配送先や決済状況等についても管理する。
【００２１】
また、実施の形態のラベルにおいて、貼付票である印刷紙２ｃ’の下端をさらに延長し、この延長部分に作業票や領収票など、他の個人情報を記載する欄を設けたり、あるいは特許文献１で示されているバーコードなどの機械読み取りコードや、ＱＲコード（登録商標）を設けてもよい。さらに、第１の情報記載部分５と第２の情報記載部分６をいくつ設けるかとか、そこにどのような情報を記載するのかとか、は任意であり、この実施の形態と異なる、他のものとしてもよい。第１の情報記載部分５と第２の情報記載部分６に記載する個人情報も然りである。さらに、必ずしも宅配便用に限るものではなく、そのほかの配送用にも用いることができる。
【符号の説明】
【００２２】
１  宅配便用ラベル
２  ラベル本体
２ａ  基紙（接着紙）
２ｂ，２ｂ’  粘着剤層
２ｃ，２ｃ’  印刷紙
２ｄ，２ｄ’  擬似糊層
２ｅ  剥離層
３  剥離紙
５  第１の情報記載部分
６  第２の情報記載部分
７，８  届け先等の欄
１１  切れ目等
１３  粘着剤が塗布された部分
１５  糊殺し部分
【先行技術文献】
【特許文献】
【００２３】
【特許文献１】特開２００４−２９１２９２号公報
【図１】
2010188592.tif 000003
【図２】
2010188592.tif 000004
【図３】
2010188592.tif 000005
【図４】
2010188592.tif 000006
【図５】
2010188592.tif 000007
【図６】
2010188592.tif 000008